(57)【要約】【課題】  戸や窓を開けた際に、何ら虫除けのための作業をすることなく家屋内への蚊等の侵入を容易に防止できるようにする。【解決手段】  虫除け成分の発散手段が一体に設けられてなる風鈴装置。【選択図】図２
2008079586.tif 000002
【特許請求の範囲】
【請求項１】
虫除け成分の発散手段が一体に設けられてなることを特徴とする風鈴装置。
【発明の詳細な説明】
【技術分野】
【０００１】  この発明は、風鈴装置に関する。
【背景技術】
【０００２】  夏期には通常冷房を入れることで部屋を閉め切っている場合が多いが、朝夕の涼しい時間帯には冷房を止めて部屋の窓や戸を開くことがある。また、部屋の空気を入れ替えたり、洗濯物を取り込むような場合にも窓や戸を開くことがある。そのような窓や戸を開く際、蚊等がその開いた部分から家屋内に侵入してくる問題がある。したがって、それを阻止するにはスプレーを使う等何らかの虫除けのための作業が必要となり、手間がかかる問題があった。
【発明の開示】
【発明が解決しようとする課題】
【０００３】  この発明では、戸や窓を開けた際に、何ら虫除けのための作業をすることなく家屋内への蚊等の侵入を容易に防止できるようにすることを目的とする。
【課題を解決するための手段】
【０００４】  この発明では、虫除け成分の発散手段が一体に設けられてなる風鈴装置を提供する。【０００５】  この発明の風鈴装置を軒下等に取り付けることで、虫除け成分の発散手段から発散される虫除け成分がその周囲空間に行き渡り、その近傍における窓や戸が開かれてもそこから蚊等の虫が家屋内に侵入することが阻止される。【０００６】  虫除け成分の発生手段は、虫除け成分を発生する機能を持つものであれば適宜形態のものであってよい。また、風鈴装置は風鈴音を電子音により発生するものであってもよい。
【発明の効果】
【０００７】  この発明の風鈴装置を軒下等に取り付けることで、一方では風鈴音を楽しみながら、戸や窓を開けた際において虫除けのための作業をすることなく家屋内への蚊等の侵入を容易に防止できるようになる。
【発明を実施するための最良の形態】
【０００８】  図１はこの発明の風鈴装置の第１の実施形態の外観斜視図、図２は同断面図である。【０００９】  風鈴装置１において、２は鉄製もしくはガラス製の釣り鐘形態の外装体であり、外装体２はドーム状の上側部４と環状の下側部５とからなり、互いに螺合されることで一体とされている。上側部４の頂部の外面には装置１自身の吊り下げ部６が設けられ、内面には振り子７及び短冊８の吊り下げ部１０が設けられている。下側部５の周壁１１には複数個の照明穴１３が所定の間隔で設けられ、また、その一部にはスイッチ操作穴１４が設けられている。【００１０】  また、下側部５はその下縁から内側に延び出す底部１５を一体に備え、その中央に振り子７を通す円孔１６を備えており、風が吹き短冊８が揺れて振り子７がその円孔１６の周囲部１８に当たることで風鈴音を発するようになっている。２０は風鈴音の発生の停止具であり、下方から、図２の断面図に示すように、円孔１６の下面に装着されることで、振り子７が円孔１６の周囲部１８に当たることを阻止して風鈴音の発生を停止させる。風鈴音は耳ざわりとなる場合もあり、所望により停止具２０が用いられる。また、底部１５の一部には虫除け成分の排出孔２１が設けられている。【００１１】  さらに、下側部５内には図３に示すような内装部材２５が装着されている。内装部材２５はプラスチックス製の環体２４の内面に、モータファン２６、虫除け成分の発散手段としての虫除け成分含浸体２７、電池２８のそれぞれが装着されるとともに、その周囲外面に沿って色の異なるＬＥＤ２９のそれぞれが所定の間隔に埋設され、さらに、その一部外面にスイッチ３０、３１のそれぞれが取り付けられて構成されている。環体２４は配線基板としても兼用され、電池２８とモータファン２６及びＬＥＤ２９とのそれぞれがスイッチ３０、３１それぞれを介して電気的に接続されている。【００１２】  虫除け成分含浸体２７は不織布マットに虫除け成分であるピレスロイド系薬剤の稀釈液が含浸されて構成され、使用により虫除け成分が発散されて無くなった場合には取り替え可能とされている。また、電池２８も取り替え可能に装着されている。モータファン２６は上記外装体２の下側部５に設けられた排出孔２１に臨むように設けられ、また、ＬＥＤ２９のそれぞれは照明穴１３それぞれに、スイッチ３０、３１のそれぞれはスイッチ操作穴１４に相対するように設けられている。【００１３】  次に上記風鈴装置１の動作を説明する。停止具２０が取り外された状態とされることで、風が吹いた際には短冊８が揺れて振り子７がその円孔１６の周囲部１８に当たり、一般の風鈴と同様に風鈴音を発する。そして、スイッチ３０がＯＮ状態とされモータファン２６が作動されることで成分含浸体２７から発散される虫除け成分が排出口２１から下方に送り出され。これによりこの風鈴装置１が取り付けられている空間に虫除け成分が行き渡り、したがって、その近傍における窓や戸が開かれてもそこから蚊等の虫が家屋内に侵入することが阻止される。また、夜間において、スイッチ３１がＯＮ状態とされＬＥＤ２９が点灯されることで、その照明光が照明穴１３のそれぞれから外方に至り、これにより風鈴装置１は見た目にも美しいものとなる。【００１４】  図４は第２の実施形態を示し、この風鈴装置１では、外装体２の外周面下部に、図５に示すような虫除け成分を発散するゲル体３０を内蔵する環状容器３１を被嵌した構成としている。このような構成により、虫除け成分が環状容器３１上面の穴３３それぞれから発散され、上記の実施形態のものと同様の虫除け機能が発揮される。環状容器３１は使用に伴いゲル体３０からの虫除け成分の発散が無くなった段階で取り替えられる。【００１５】  図６は第３の実施形態を示し、このものでは外装体２の内に、吊り下げ状態に虫除け成分を発散する液剤を内蔵する容器３１を設け、その容器３１に振り子７及び短冊８が吊り下げられ取り付けられている。容器３１に設けられた穴３３それぞれから発散された虫除け成分は、外装体２に設けられた穴３９と下方の開口４０とから周囲空間に放出される。容器３１は着脱可能で、キャップ４１を開くことで虫除け成分液剤を充填することができる。【００１６】  図７は第４の実施形態を示し、この風鈴装置１では短冊８として虫除け成分が含浸されたものを用いており、この短冊８から虫除け成分が発散されるようにして虫除け機能を果すようになっている。短冊８は使用に伴い虫除け成分の発散が無くなった段階で取り替えられる。この実施形態では短冊８の吊り下げ体４２は弾力性を持つ金属線材よりなり、短冊８の着脱はその係止部４３を弾力的に開くようにして行う。図８は風鈴音の発生を停止させるプラスチックス製の環状の停止具２０を装着した状態を示す。短冊８に平行に多数本の切り込みを設け、吊り下げた際にその切り込みがジャバラ状に開くようにすることで、その部分が通気スリットとなって虫除け成分の発散機能がより高められる。
【図面の簡単な説明】
【図１】この発明の風鈴装置の第１の実施形態の外観斜視図
【図２】この発明の風鈴装置の第１の実施形態の断面図
【図３】この発明の風鈴装置の第１の実施形態における内装部材の斜視図
【図４】この発明の風鈴装置の第２の実施形態の断面図
【図５】この発明の風鈴装置の第２の実施形態に使用する環状容器の斜視図
【図６】この発明の風鈴装置の第３の実施形態の断面図
【図７】この発明の風鈴装置の第４の実施形態の断面図
【図８】この発明の風鈴装置の第４の実施形態の停止具装着時の断面図
【符号の説明】
１  風鈴装置
２７  虫除け成分含浸体（虫除け成分の発散手段）
【図１】
2008079586.tif 000003
【図２】
2008079586.tif 000004
【図３】
2008079586.tif 000005
【図４】
2008079586.tif 000006
【図５】
2008079586.tif 000007
【図６】
2008079586.tif 000008
【図７】
2008079586.tif 000009
【図８】
2008079586.tif 000010